(57)【要約】【課題】アレチウリは、生態系全体に大きな影響を与えているが、多量の小さなトゲが発生し防除が困難である。種子を作らせない方法等、実効的な防除方法を考案することが課題である。【解決手段】「アレチウリ」は、１年草のつる草で、伸びた茎の本葉の付け根から脇芽が発生し、茎となり伸びていく。茎が伸びていくと、順次根本に近い部分から本葉が枯れていくが、本葉の枯れている部分から、新たに脇芽が発生しない。そこで、その植物による群落全体を、開花・種子の成熟期に、碁盤の目のように、縦横に、「柄を伸ばした鎌等」を地面と垂直に立てながら切れ目を入れて、すべての、茎を一定以下の間隔で切断する。これにより、切断部より先はすべて枯れる。切断部より根本側の、本葉を持っていない「アレチウリ」からは新たに脇芽が出ないので、その後の生長を止めることができ、種子が実らない。【選択図】      図１
2004329192.tif 000002
【特許請求の範囲】
【請求項１】
「アレチウリ」等、１個体の１カ所から根と茎を出している一年草のつる植物の防除を、その植物による群落全体を、碁盤の目のように、縦横に一定の間隔に切れ込みを入れて、群落すべてのつるの長さを一定の長さ以下に切断することにより行うこと。
【請求項２】
請求項１による間隔を「ａ」とし、その設定方法を請求項目２とする。当該する植物は、茎に直接葉が付いているが、除草を行おうとする時期には、根本に近い部分の葉は、枯れている。防除の対象となる群落から個体を選び、その個体の根元から、茎についている最も根本に近い葉が枯れている部分までの長さを測り、その長さを最大の間隔として設定すること。
【請求項３】
請求項１による「アレチウリ」の防除を、８月下旬から９月末までに行うこと。
【発明の詳細な説明】
【０００１】
【発明の属する技術分野】
本発明は、雑草の除草方法に関する。
【０００２】
【従来の技術】
従来、「アレチウリ」等に被覆された、在来の貴重種や保護したい植物を残しながら、「アレチウリ」等のみを効果的に防除する技術がなかった。
【０００３】
従来、河川敷等でのアレチウリの防除は、エンジン付草刈機等による一斉刈り取りを行っていた。
機械の特性上、アレチウリ以外の植物も含め、すべてを刈り取っていた。特に、アレチウリと競合関係にあり、アレチウリの生長を抑止する植物も同時に刈り取っていた。
【０００４】
従来、在来植生を守るため、強力に勢力を伸ばす６月から８月の高温時期に、人力でつるを引き抜いたり、刈取ったりしていた。炎天下での重労働であり、人的労力が膨大であるった。
【０００５】
従来、アレチウリの草刈りによる除草を、９月以降次年梅雨期直前までに行う事が多く、作業の過程で、周辺に多量の熟したアレチウリの種子を散布し、翌年多量の増殖を引き起こしていた。
【０００６】
従来、人力でつるを引き抜く方法で除草を行った場合、アレチウリは、「まきひげ」で在来植物などにも強力に巻き付いているので、無理に引っ張るなどしてアレチウリを撤去しようとすると、逆に本来残すべき植物に傷をつけてしまうことが多かった。
【０００７】
従来、河川敷等での一般の雑草防除は、５月中のアレチウリの発芽生長以前にも行われていた。このため、アレチウリの初期の生長を抑止する競合植物を弱体化してしまっており、結果として、アレチウリの繁殖を助けることになっていた。
【アレチウリの特徴】
【０００８】
「アレチウリ」は、自然界では種子から発芽することによってのみ、個体を現す。
【０００９】
「アレチウリ等ウリ科の植物」は、発芽した時点では、「根」「茎」「双葉」に区分される。双葉は、１本の茎を軸として左右対称に２枚の葉が開く。その後、双葉の間から「つる茎」が伸びる。伸びたつる茎に「本葉」が現れる。本葉の付け根からは、新たにつる茎が発生することがある。順次つる茎が伸びては、つる茎に付く葉の付け根から新たなつる茎が発生し伸びていく。
【００１０】
「アレチウリ」は、つる茎が伸びていくと、順次根本に近い部分から本葉が枯れていく。
【００１１】
「アレチウリ」は、つる茎に付く本葉が枯れている部分からは、新たにつる茎が発生することはない。
【００１２】
「アレチウリ」は、つる茎が伸びても、茎の途中から根が発生することはない。根の生えている部分は１カ所であり、茎は根元付近では１本になっている。
【００１３】
在来の一般の植物が地面から垂直に生長するのに対し、「アレチウリ」は地面を這って生長する。
【００１４】
「アレチウリ」は、温度と日照条件等が整う６〜７月には、つるの生長が著しい。
【００１５】
「アレチウリ」は８月下旬から花が咲き、最初に結実した雌花が生殖能力を得るまでに熟すには４０日程度かかる。
【００１６】
「アレチウリ」は花が咲き始めると、つるの生長が鈍くなる。
【００１７】
「アレチウリ」は、８月以降に発芽した個体からは、ほとんど生殖能力のある種子ができないことができない。
【００１８】
「アレチウリ」は、順次伸びたつる茎に、「まきひげ」が発生する。このまきひげで、周辺の植物などに取り付く。
【００１９】
「アレチウリ」の群落では、アレチウリが覆われ、地表に太陽光が届かないことにより、一定の温度に達しないことで、発芽しない種子が地中に残ることがある。これらのなかに、次年度に発芽するものがある。
【００２０】
【発明が解決しようとする課題】
「アレチウリ」やそれに近似する植物は、貴重種や在来種等、保護しようとする植物の上に覆い被さって、これらの生育に障害を与えていることがある。この時、貴重種など、保護しようとする植物に障害を与えないで、「アレチウリ」やそれに近似する植物を効率的に防除することが課題となる。
【００２１】
「アレチウリ」は、１個体から極めて多量の種子を作り、翌年の生育域拡大のつながっている。そこで、すべての個体から生殖可能な種子を、作らせないことが課題となる。
【００２２】
「アレチウリ」は、河川域や牧草地を中心に生育していることが多い。そこで、人体や環境への影響が懸念される薬剤等を用いないで防除することが課題となる。
【００２３】
「アレチウリ」は、外来植物でごく近年猛烈な勢いで全国に勢力圏を拡大しつつある。多量の種子を作り散布するので、１カ所アレチウリが生育すると、水に流されて種子がその河川流域全体に広がることになる。そこで、「アレチウリ」が発見されたときには、その群落を撲滅することが課題となる。
【００２４】
前年に成熟し散布され、その年に発芽せず、地中に残された「アレチウリ」の種子を、次年まで、生殖機能を持ったままで残させないことが、課題となる。
【００２５】
【問題を解決するための手段】
上記の課題を解決するために以下の手段をとった。
【００２６】
「アレチウリ」は、伸びたつる茎の本葉の付け根から新たなつる茎が発生し、伸びていくが、このつる茎が伸びていくと、順次根本に近い部分から本葉が枯れていく。つる茎の途中から根が出ることがない。つる茎に付く本葉が枯れている部分からは、新たにつる茎が発生することはない。また、「アレチウリ」は垂直には生長せず地面を這って生長する。
そこで、「アレチウリ」等、１個体の１カ所から根と茎を出している一年草のつる植物の防除を、その植物による群落全体を、碁盤の目のように、縦横にその個体の根元から、茎についている最も根本に近い葉が枯れている部分までの長さを最大の間隔として、切れ込みを入れて、群落すべてのつるの長さを、一定の長さ以下に切断することを手段とした。
これにより、群落内すべての個体は、つる茎に葉を付けていないことになる。葉を持っていない「アレチウリ」からは新たに脇芽が出ないので、その後の生長を止めることができ、種子を作らせないことが可能となる。「アレチウリ」は１年草であるので、秋期には、生殖活動を行うことができずそのまま枯らすことができる。
【００２７】
アレチウリに被圧された、在来の植物等は、地面から垂直に生長するのに対し、「アレチウリ」は地面を這って生長する。そこで請求項１の方法で、「アレチウリ」の防除を行う場合、通常の「鎌」に１．５ｍ程度の柄を着けて、縦に立てて、人力で群落の中を引き廻しながら切る手段をとった。
これにより、他の植物には障害を与えないで、アレチウリ等、地面を這う植物のみを効率的に防除することが可能となる。
【００２８】
「アレチウリ」は日本では、８月下旬から花が咲き、最初に結実した雌花が生殖能力を得るまでに熟すには４０日程度かかる。一方「アレチウリ」は、８月以降に発芽した個体からは、ほとんど生殖能力のある種子ができない。つまり、請求項１による「アレチウリ」の防除を、仮に開花結実しても成熟するまでの間に、行えばよいことになる。その時期が、８月下旬から４０日後の９月末である。これにより、次年度に、生殖能力のある種子を作らせないことができる。
【００２９】
「アレチウリ」の群落では、地表がアレチウリが覆われ、地表に太陽光が届かないことにより、地表の温度が一定の高さに達しないことで、発芽しない種子が地中に残ることがある。
８月から９月末までにアレチウリを防除することで、地表を覆っていたアレチウリを枯らし、太陽光が地表に当たることになると、地中に残っていた多量の種子が発芽をする。一度発芽した種子からは、二度と発芽しない。なるべく多くのアレチウリを発芽させることで、次年に発芽をする能力を持つ種子を残さないことができる。この時期に発芽したアレチウリは、ほとんど生長せず、種子を作ることができないので、他に影響を及ぼすことはない。
これにより、他に影響を与えないで、ほぼすべてのアレチウリの種子を駆除できる。
【実施例】
【００３０】
市販の「草刈り鎌」にパイプを取り付け、人が持ち易すい長さにし、アレチウリ等の群落の中を、鎌を地面に対して垂直に立て、引きながら歩くことにより、容易に茎を切断できる。
【図面の簡単な説明】
【００３１】
実施例を図面を参照して説明する。図１は、請求項１の工法を、平面と断面を示したものである。
【図１】
2004329192.tif 000003
【手続補正書】
【提出日】平成15年7月30日(2003.7.30)
【手続補正１】
【補正対象書類名】明細書
【補正対象項目名】図面の簡単な説明
【補正方法】変更
【補正の内容】
【図面の簡単な説明】
【図１】アレチウリ等群落と、その茎を切断する位置を平面と断面を示した図である。
【符号の説明】
ａ  つる茎を切断する間隔
つる茎の切断位置
アレチウリ等
アレチウリ等生育地盤